(57)【要約】      （修正有）【課題】電力系統に好ましい機能を追加することができるアダプタおよびアダプタセットを提供する。【解決手段】機能アダプタ５０は、複数の接続ポートを有した多分岐型コンセントユニット１３含む給電システムに設けられるアダプタであって、第１プラグ５１と、機能ユニット５２とを備えている。第１プラグ５１は、コンセントユニット１３の第２接続ポート２３Ｂに接続される。機能ユニット５２は、第１接続ポート２３Ｃに生じる電気的変動の影響を低減する第１機能部６１と、前記電力および周囲環境のうち少なくとも一方に関する測定を行う第２機能部６２と、第１接続ポート２３Ｃのロック機構または前記第１接続ポート２３Ｃに接続された負荷装置接続アダプタ３０のロック機構を操作する第３機能部６３とのうち少なくとも１つを有する。【選択図】図３
2019126104.tif 000002
【特許請求の範囲】
【請求項１】
複数の接続ポートを有した多分岐型コンセントユニットと、前記複数の接続ポートに含まれる第１接続ポートに電気的に接続される第１負荷装置とを含む給電システムに設けられ、前記コンセントユニットの外部に配置されるアダプタであって、
前記複数の接続ポートに含まれる第２接続ポートに接続される第１プラグと、
前記第１プラグに電気的に接続された機能ユニットであって、前記第１接続ポートに生じる電気的変動の影響を低減する第１機能部と、前記電力および当該アダプタの周囲環境のうち少なくとも一方に関する測定を行う第２機能部と、前記第１接続ポートのロック機構または前記第１接続ポートに接続された負荷装置接続アダプタのロック機構を操作する第３機能部とのうち少なくとも１つを有した機能ユニットと、
を備えたことを特徴とするアダプタ。
【請求項２】
前記第１機能部は、
前記第１接続ポートに生じた電気的変動について、前記コンセントユニット内の導体を通って前記第１接続ポートから前記第１負荷装置に供給される電力を安定化させる、過電圧から前記第１負荷装置を保護する、または、前記第１接続ポートに流れる電流の一部を補う電流源である、
ことを特徴とする請求項１に記載のアダプタ。
【請求項３】
前記機能ユニットは、少なくとも前記第１機能部を備える、
ことを特徴とする請求項２に記載のアダプタ。
【請求項４】
前記第１機能部は、少なくとも前記第２接続ポートを介して前記コンセントユニット内の前記導体に電力を供給可能であり、前記導体から前記第１接続ポートを介して前記第１負荷装置に供給される電力の電圧を平滑化する電圧保持部を含む、
ことを特徴とする請求項３に記載のアダプタ。
【請求項５】
前記第１機能部は、前記コンセントユニット内の前記導体を経て前記第１負荷装置に供給される電力の変動を検出する検出部と、少なくとも前記第２接続ポートを介して前記コンセントユニット内の前記導体に電力を供給可能な電力供給部と、前記検出部の検出結果に基づき前記電力供給部を制御する制御部とを含む、
ことを特徴とする請求項３に記載のアダプタ。
【請求項６】
前記給電システムは、前記複数の接続ポートに含まれる第３接続ポートに電気的に接続される第２負荷装置と、所定の条件が満たされた場合に前記第３接続ポートと前記第２負荷装置との間の電気的接続を遮断する遮断部とを含み、
前記第１機能部は、前記第３接続ポートと前記第２負荷装置との間の電気的接続が前記遮断部により遮断されて前記コンセントユニット内の前記導体に電圧変動が生じる場合に、電源から前記導体に供給される電力の少なくとも一部を前記コンセントユニットの外部に逃がすことで前記第１負荷装置に対する電圧変動を抑制する電圧変動抑制部を含む、
ことを特徴とする請求項３に記載のアダプタ。
【請求項７】
前記第１機能部は、電撃、短絡または地絡に伴い前記コンセントユニット内の前記導体に電圧変動が生じる場合に、電源から前記導体に供給される電力の少なくとも一部を接地極に逃がすことで前記第１負荷装置に対する電圧変動を抑制する電圧変動抑制部を含む、
ことを特徴とする請求項３に記載のアダプタ。
【請求項８】
前記機能ユニットは、少なくとも前記第２機能部を備える、
ことを特徴とする請求項１から請求項７のいずれか１項に記載のアダプタ。
【請求項９】
前記第２機能部は、前記コンセントユニット内の前記導体を経て供給される電力の電流、電圧、電力、および電力品質のうち少なくとも１つを測定する測定部を含む、
ことを特徴とする請求項８に記載のアダプタ。
【請求項１０】
前記第２機能部は、当該アダプタに作用する加速度、温度および湿度のうち少なくとも一方を測定する測定部を含む、
ことを特徴とする請求項８または請求項９に記載のアダプタ。
【請求項１１】
前記第２機能部は、前記第１接続ポート近傍の磁界を検出することで、前記第１接続ポートから前記第１負荷装置に流れる電流を測定する測定部を含む、
ことを特徴とする請求項８から請求項１０のいずれか１項に記載のアダプタ。
【請求項１２】
前記複数の接続ポートは、第３接続ポートを含み、
前記第２接続ポートと前記第３接続ポートとは、前記コンセントユニット内の前記導体における電流の流れ方向で前記第１接続ポートの上流と下流とに分かれて配置され、
当該アダプタは、前記第３接続ポートに接続される第２プラグを含み、
前記第２機能部は、前記第２接続ポートを介して前記導体の電圧を測定した第１測定結果と、前記第３接続ポートを介して前記導体の電圧を測定した第２測定結果との差分に基づき、前記第１接続ポートから前記第１負荷装置に流れる電流を測定する測定部を含む、
ことを特徴とする請求項８から請求項１１のいずれか１項に記載のアダプタ。
【請求項１３】
前記第２機能部は、前記第２接続ポートから前記コンセントユニット内の前記導体に所定の信号を送信する信号送信部と、前記第２接続ポートまたは前記複数の接続ポートに含まれる別の接続ポートを介して受信した前記所定の信号の状態に基づき、前記導体に電気的に接続されたコンデンサの容量を測定する測定部を含む、
ことを特徴とする請求項８から請求項１２のいずれか１項に記載のアダプタ。
【請求項１４】
前記機能ユニットは、少なくとも前記第３機能部を備える、
ことを特徴とする請求項１から請求項１３のいずれか１項に記載のアダプタ。
【請求項１５】
前記第３機能部は、前記第１接続ポートのロック機構または前記負荷装置接続アダプタのロック機構に接する操作部材と、前記操作部材を駆動するアクチュエータと、外部からの信号に基づき前記アクチュエータを制御する制御部とを含む、
ことを特徴とする請求項１４に記載のアダプタ。
【請求項１６】
前記第１機能部は、
前記第１接続ポートの後段に設けられている過電流保護部の保護動作を機能させるような電流を、前記電流源から前記第１接続ポートに流す、
ことを特徴とする請求項２に記載のアダプタ。
【請求項１７】
複数の接続ポートを有した多分岐型コンセントユニットと、前記複数の接続ポートに含まれる第１接続ポートに電気的に接続される負荷装置とを含む給電システムに設けられ、前記コンセントユニットの外部に配置されるアダプタセットであって、
前記複数の接続ポートに含まれる第２接続ポートに接続され、前記第１接続ポートに生じる電気的変動の影響を低減する第１機能部と、前記電力および当該アダプタセットの周囲環境のうち少なくとも一方に関する測定を行う第２機能部と、前記第１接続ポートのロック機構または前記第１接続ポートに接続された負荷装置接続アダプタのロック機構を操作する第３機能部とのうち少なくとも１つと、第１通信部とを有した第１アダプタと、
前記複数の接続ポートに含まれる第３接続ポートに接続され、前記第１通信部と通信可能な第２通信部を有した第２アダプタと、
を備えたことを特徴とするアダプタセット。
【請求項１８】
前記第２アダプタは、インターネットに接続可能な第３通信部を有した、
ことを特徴とする請求項１６に記載のアダプタセット。
【発明の詳細な説明】
【技術分野】
【０００１】
本発明は、アダプタおよびアダプタセットに関する。
【背景技術】
【０００２】
給電システムには様々な機能部が存在する。これら機能部としては、電圧の平滑化を図るコンデンサ、または電圧や電流を測定する測定部などがある。これらは、電源装置または負荷装置などの中に予め組み込まれている。
【先行技術文献】
【特許文献】
【０００３】
【特許文献１】特開平１１−２５２９０６号公報
【発明の概要】
【発明が解決しようとする課題】
【０００４】
ところで、これらのような機能部は、電源装置や負荷装置が設置された後であっても、後から追加することができると好ましい。
【０００５】
本発明は、このような事情に鑑みてなされたものであり、電力系統に好ましい機能を追加することができるアダプタおよびアダプタセットを提供することを目的とする。
【課題を解決するための手段】
【０００６】
（１）本発明の一態様は、複数の接続ポートを有した多分岐型コンセントユニットと、前記複数の接続ポートに含まれる第１接続ポートに電気的に接続される第１負荷装置とを含む給電システムに設けられ、前記コンセントユニットの外部に配置されるアダプタである。このアダプタは、第１プラグと、機能ユニットとを有する。前記第１プラグは、前記複数の接続ポートに含まれる第２接続ポートに接続される。前記機能ユニットは、前記第１プラグに電気的に接続された機能ユニットであって、前記第１接続ポートに生じる電気的変動の影響を低減する第１機能部と、前記電力および当該アダプタの周囲環境のうち少なくとも一方に関する測定を行う第２機能部と、前記第１接続ポートのロック機構または前記第１接続ポートに接続された負荷装置接続アダプタのロック機構を操作する第３機能部とのうち少なくとも１つを有する。
【０００７】
（２）上記のアダプタにおいて、前記第１機能部は、前記第１接続ポートに生じた電気的変動について、前記コンセントユニット内の導体を通って前記第１接続ポートから前記第１負荷装置に供給される電力を安定化させる、過電圧から前記第１負荷装置を保護する、または、前記第１接続ポートに流れる電流の一部を補う電流源である。
【０００８】
（３）上記のアダプタにおいて、前記機能ユニットは、少なくとも前記第１機能部を備える。
【０００９】
（４）上記のアダプタにおいて、前記第１機能部は、少なくとも前記第２接続ポートを介して前記コンセントユニット内の前記導体に電力を供給可能であり、前記導体から前記第１接続ポートを介して前記第１負荷装置に供給される電力の電圧を平滑化する電圧保持部を含む。
【００１０】
（５）上記のアダプタにおいて、前記第１機能部は、前記コンセントユニット内の前記導体を経て前記第１負荷装置に供給される電力の変動を検出する検出部と、少なくとも前記第２接続ポートを介して前記コンセントユニット内の前記導体に電力を供給可能な電力供給部と、前記検出部の検出結果に基づき前記電力供給部を制御する制御部とを含む。
【００１１】
（６）上記のアダプタにおいて、前記給電システムは、前記複数の接続ポートに含まれる第３接続ポートに電気的に接続される第２負荷装置と、所定の条件が満たされた場合に前記第３接続ポートと前記第２負荷装置との間の電気的接続を遮断する遮断部とを含む。前記第１機能部は、前記第３接続ポートと前記第２負荷装置との間の電気的接続が前記遮断部により遮断されて前記コンセントユニット内の前記導体に電圧変動が生じる場合に、電源から前記導体に供給される電力の少なくとも一部を前記コンセントユニットの外部に逃がすことで前記第１負荷装置に対する電圧変動を抑制する電圧変動抑制部を含む。
【００１２】
（７）上記のアダプタにおいて、前記第１機能部は、電撃、短絡または地絡に伴い前記コンセントユニット内の前記導体に電圧変動が生じる場合に、電源から前記導体に供給される電力の少なくとも一部を接地極に逃がすことで前記第１負荷装置に対する電圧変動を抑制する電圧変動抑制部を含む。
【００１３】
（８）上記のアダプタにおいて、前記機能ユニットは、少なくとも前記第２機能部を備える。
【００１４】
（９）上記のアダプタにおいて、前記第２機能部は、前記コンセントユニット内の前記導体を経て供給される電力の電流、電圧、電力、および電力品質のうち少なくとも１つを測定する測定部を含む。
【００１５】
（１０）上記のアダプタにおいて、前記第２機能部は、当該アダプタに作用する加速度、温度および湿度のうち少なくとも一方を測定する測定部を含む。
【００１６】
（１１）上記のアダプタにおいて、前記第２機能部は、前記第１接続ポート近傍の磁界を検出することで、前記第１接続ポートから前記第１負荷装置に流れる電流を測定する測定部を含む。
【００１７】
（１２）上記のアダプタにおいて、前記複数の接続ポートは、第３接続ポートを含む。前記第２接続ポートと前記第３接続ポートとは、前記コンセントユニット内の前記導体における電流の流れ方向で前記第１接続ポートの上流と下流とに分かれて配置される。当該アダプタは、前記第３接続ポートに接続される第２プラグを含む。前記第２機能部は、前記第２接続ポートを介して前記導体の電圧を測定した第１測定結果と、前記第３接続ポートを介して前記導体の電圧を測定した第２測定結果との差分に基づき、前記第１接続ポートから前記第１負荷装置に流れる電流を測定する測定部を含む。
【００１８】
（１３）上記のアダプタにおいて、前記第２機能部は、前記第２接続ポートから前記コンセントユニット内の前記導体に所定の信号を送信する信号送信部と、前記第２接続ポートまたは前記複数の接続ポートに含まれる別の接続ポートを介して受信した前記所定の信号の状態に基づき、前記導体に電気的に接続されたコンデンサの容量を測定する測定部を含む。
【００１９】
（１４）上記のアダプタにおいて、前記機能ユニットは、少なくとも前記第３機能部を備える。
【００２０】
（１５）上記のアダプタにおいて、前記第３機能部は、前記第１接続ポートのロック機構または前記負荷装置接続アダプタのロック機構に接する操作部材と、前記操作部材を駆動するアクチュエータと、外部からの信号に基づき前記アクチュエータを制御する制御部とを含む。
【００２１】
（１６）上記のアダプタにおいて、前記第１機能部は、前記第１接続ポートの後段に設けられている過電流保護部の保護動作を機能させるような電流を、前記電流源が前記第１接続ポートに流す。
【００２２】
（１７）本発明の一態様は、複数の接続ポートを有した多分岐型コンセントユニットと、前記複数の接続ポートに含まれる第１接続ポートに電気的に接続される負荷装置とを含む給電システムに設けられ、前記コンセントユニットの外部に配置されるアダプタセットである。このアダプタセットは、第１アダプタと、第２アダプタとを有する。前記第１アダプタは、前記複数の接続ポートに含まれる第２接続ポートに接続され、前記第１接続ポートに生じる電気的変動の影響を低減する第１機能部と、前記電力および当該アダプタセットの周囲環境のうち少なくとも一方に関する測定を行う第２機能部と、前記第１接続ポートのロック機構または前記第１接続ポートに接続された負荷装置接続アダプタのロック機構を操作する第３機能部とのうち少なくとも１つと、第１通信部とを有する。前記第２アダプタは、前記複数の接続ポートに含まれる第３接続ポートに接続され、前記第１通信部と通信可能な第２通信部を有する。
【００２３】
（１８）上記のアダプタセットにおいて、前記第２アダプタは、インターネットに接続可能な第３通信部を有する。
【発明の効果】
【００２４】
本発明によれば、電力系統に好ましい機能を追加することができるアダプタおよびアダプタセットを提供することができる。
【図面の簡単な説明】
【００２５】
【図１】第１の実施形態の給電システムの一例を示す斜視図である。
【図２】第１の実施形態のコンセントユニットおよび機能アダプタを示す斜視図である。
【図３】第１の実施形態のコンセントユニットおよび機能アダプタの電気的接続関係を示す図である。
【図４】第１の実施形態の第１機能部を有した機能アダプタのいくつかの例を示す図である。
【図５】第１の実施形態の第１機能部を有した機能アダプタの別のいくつかの例を示す図である。
【図６】第１の実施形態の第２機能部を有した機能アダプタのいくつかの例を示す図である。
【図７】第１の実施形態の第２機能部を有した機能アダプタの別の例を示す図である。
【図８】第１の実施形態の第２機能部を有した機能アダプタのさらに別の例を示す図である。
【図９】第１の実施形態の第２機能部を有した機能アダプタのさらに別の例を示す図である。
【図１０】第１の実施形態の第３機能部を有した機能アダプタの例を示す斜視図である。
【図１１】第１の実施形態の第３機能部を有した機能アダプタの例を示す図である。
【図１２】第１の実施形態の第３機能部を有した機能アダプタの別の例を示す図である。
【図１３】第２の実施形態のコンセントユニットおよびアダプタセットを示す斜視図である。
【図１４】第２の実施形態のコンセントユニットおよびアダプタセットの電気的接続関係を示す図である。
【図１５】第３の実施形態のコンセントユニットおよび機能アダプタを示す斜視図である。
【図１６】第３の実施形態のコンセントユニットおよび機能アダプタの電気的接続関係を示す図である。
【図１７】第１の実施形態の変形例の第３機能部６３を有した機能アダプタ５０の例を示す図である。
【発明を実施するための形態】
【００２６】
以下、実施形態のアダプタおよびアダプタセットについて説明する。なお以下の説明では、同一または類似の機能を有する構成に同一の符号を付す。そして、それら構成の重複する説明は省略する場合がある。
【００２７】
（第１の実施形態）
まず、第１の実施形態のアダプタ（機能アダプタ５０）が利用される給電システム１の一例について説明する。給電システム１の構成は、例えば、後述する第２実施形態でも共通である。
【００２８】
図１は、本実施形態の給電システム１の一例を示す斜視図である。図１に示すように、給電システム１は、例えば、電源装置１１と、分電盤１７(電流分配装置)と、複数の負荷装置１２と、多分岐型コンセントユニット１３（以下、単に「コンセントユニット１３」と称する）と、複数のケーブル１４と、筐体１５とを含む。給電システム１は、蓄電池１６をさらに備えていてもよい。例えば、蓄電池１６は、鉛電池、リチウムイオン電池などの２次電池である。
【００２９】
電源装置１１は、例えば、複数の負荷装置１２に直流電力を供給する直流電源装置である。電源装置１１は、外部電源ＰＳから供給される交流電力を直流電力に変換する整流装置でもよく、外部電源ＰＳから供給される電力を所定の電力に変換する電力変換装置（コンバータ）でもよい。なお、電源装置１１と筐体１５との間の電路には、分電盤１７が設けられてもよい。電源装置１１は、直流電力を蓄電池１６に供給して蓄電池１６を充電し、蓄電池１６からの直流電力を所定の電力に変換して分電盤１７に供給する電力変換装置（コンバータ）であってもよい。
【００３０】
負荷装置１２は、例えば、電源装置１１から供給される直流電力により機能する。負荷装置１２は、サーバ装置、通信機器などのＩＣＴ（Information and Communication Technology）装置、または大容量記憶装置などであるが、これらに限定されない。複数の負荷装置１２は、例えば、共通の筐体１５（例えばラック）に収容されている。
【００３１】
コンセントユニット１３は、複数の接続ポート２３（図２参照）が設けられたポート部１３ａと、ポート部１３ａを電源装置１１に電気的に接続するための電源コード１３ｂとを有する。なお、コンセントユニット１３は、電源コード１３ｂに代えて、電源装置１１に電気的に接続されるための端子を有してもよい。
【００３２】
ケーブル１４は、コンセントユニット１３の接続ポート２３に電気的に接続される。ケーブル１４は、コンセントユニット１３と各負荷装置１２とを電気的に接続し、電源装置１１からの電力を負荷装置１２に供給する。
【００３３】
筐体１５は、例えば、複数の負荷装置１２、コンセントユニット１３のポート部１３ａ、および複数のケーブル１４を収容する。筐体１５に収容される負荷装置１２の数、コンセントユニット１３の数、およびケーブル１４の数は、図示した例に限定されない。
【００３４】
分電盤１７は、電源装置１１と複数の負荷装置１２との間に配置され、電源装置１１から供給される電力を複数の負荷装置１２に分けて供給する。分電盤１７は、複数の負荷装置１２に流れる電流を分流して分配する。なお、給電システム１は、分電盤１７に代えて、筐体１５に収容された分電ユニット１７Ａ（不図示）を設けてもよい。分電ユニット１７Ａは、分電盤１７と略同じ役割を果たす。また、分電盤１７および分電ユニット１７Ａは、必須の構成要素ではなく、省略されてもよい。この場合、電源装置１１と各負荷装置１２は、ケーブル１４によって直接に接続されてもよい。
なお、分電盤１７は、図示しないコンデンサ等の蓄電部を備え、電力の分配先毎の図示しないヒューズ又は遮断器などを設けて、当該ヒューズが過電流を検出した際に当該電力の分配先への給電を停止するように構成してもよい。このような分電盤１７を、直流分配装置ということがある。筐体１５に収納されるＩＣＴ装置などは、電力の分配先の１つである。
【００３５】
次に、コンセントユニット１３について詳しく説明する。図２は、コンセントユニット１３および機能アダプタ５０を示す斜視図である。図３は、コンセントユニット１３および機能アダプタ５０の電気的接続関係を示す図である。
【００３６】
コンセントユニット１３は、例えば、３８０ボルト程度の直流用のコンセントユニットである。コンセントユニット１３のポート部１３ａは、ケース２１と、ケース２１内に設けられた母線２２（図３参照）とを有する。ここでは、母線２２について先に説明し、その後にケース２１について説明する。
【００３７】
母線２２は、例えば、正極線（正極導体）２２ａと、負極線（負極導体）２２ｂと、接地線（接地導体）２２ｃとを含む。母線２２は、「コンセントユニット内の導体」の一例である。
【００３８】
ケース２１には、複数の接続ポート２３が設けられている。複数の接続ポート２３は、例えば、４つの接続ポート２３Ａ，２３Ｂ，２３Ｃ，２３Ｄを含む。ただし、接続ポート２３の数は、上記例に限定されず、３つ以下でもよく、５つ以上でもよい。以下では、４つの接続ポート２３Ａ〜２３Ｄを互いに区別しない場合は、単に「接続ポート２３」と称する。複数の接続ポート２３は、互いに同じ形状を持つ。複数の接続ポート２３は、ケース２１内の母線２２に対して互いに電気的に並列に接続されている。
【００３９】
ここで、コンセントユニット１３に接続されるケーブル１４の端部には、コンセントユニット１３の接続ポート２３に接続される負荷装置接続アダプタ３０が設けられている。負荷装置接続アダプタ３０は、複数のプラグ端子（例えば、正極のプラグ端子３１ａ、負極のプラグ端子３１ｂ、接地極のプラグ端子３１ｃ）を有したプラグ３１を有する。
【００４０】
コンセントユニット１３の接続ポート２３は、ケース２１の表面に開口した複数の挿入口４１ａ，４１ｂ，４１ｃと、ケース２１内に設けられたコンセント端子（例えば、正極のコンセント端子４２ａ、負極のコンセント端子４２ｂ、接地極のコンセント端子４２ｃ）（図３参照）とを有する。挿入口４１ａ，４１ｂ，４１ｃには、負荷装置接続アダプタ３０の複数のプラグ端子３１ａ，３１ｂ，３１ｃが挿入される。プラグ端子３１ａ，３１ｂ，３１ｃは、ケース２１の内部でコンセント端子４２ａ，４２ｂ，４２ｃに接する。これにより、コンセントユニット１３の母線２２（正極線２２ａ、負極線２２ｂ、および接地線２２ｃ）と負荷装置１２とが電気的に接続され、電源装置１１からの電力がコンセントユニット１３の母線２２および接続ポート２３を介して負荷装置１２に供給される。本実施形態では、複数の負荷装置１２に含まれる１つの負荷装置１２Ａ（第１負荷装置、図１参照）が電気的に接続される接続ポート２３Ｃは、「第１接続ポート」の一例である。
【００４１】
次に、機能アダプタ５０について説明する。機能アダプタ５０は、コンセントユニット１３の外部に配置され、コンセントユニット１３の外部から接続ポート２３に取り付けられる。機能アダプタ５０は、コンセントユニット１３の接続ポート２３に着脱自在に取り付けられ、電力系統に好ましい機能を追加する。機能アダプタ５０は、「アダプタ」の一例である。機能アダプタ５０は、例えば、プラグ５１と、機能ユニット５２とを有する。本実施形態では、機能アダプタ５０は、別のアダプタのプラグが接続される接続ポートは有しない。
【００４２】
プラグ５１は、コンセントユニット１３の接続ポート２３に接続される。詳しく述べると、プラグ５１は、例えば、負荷装置接続アダプタ３０の複数のプラグ端子３１ａ，３１ｂ，３１ｃと同様に配置された複数のプラグ端子（例えば、正極のプラグ端子５１ａ、負極のプラグ端子５１ｂ、接地極のプラグ端子５１ｃ）を有する。プラグ端子５１ａ，５１ｂ，５１ｃは、ケース２１の表面に開口した複数の挿入口４１ａ，４１ｂ，４１ｃに挿入され、ケース２１内に設けられた接続ポート２３のコンセント端子４２ａ，４２ｂ，４２ｃにそれぞれ接する。これにより、機能アダプタ５０は、コンセントユニット１３の母線２２（正極線２２ａ、負極線２２ｂ、および接地線２２ｃ）に電気的に接続される。機能アダプタ５０のプラグ５１が接続される接続ポート２３Ｂは、「第２接続ポート」の一例である。
【００４３】
機能ユニット５２は、プラグ５１に電気的に接続されている。機能ユニット５２は、コンセントユニット１３の母線２２を通って接続ポート２３Ｃから負荷装置１２Ａに供給される電力を安定化させる、過電圧から負荷装置１２Ａを保護する、または、接続ポート２３Ｃに流れる電流の一部を補う電流源である第１機能部６１と、前記電力および当該機能アダプタ５０の周囲環境のうち少なくとも一方に関する測定を行う第２機能部６２と、後述する接続ポート２３のロック機構または負荷装置接続アダプタ３０のロック機構を操作する第３機能部６３とのうち少なくとも１つを有する。なお、上記の第１機能部６１は、接続ポート２３Ｃに生じる電気的変動の影響を低減するものである。例えば、第１機能部６１は、接続ポート２３Ｃの後段に設けられているヒューズ又は遮断器などの過電流保護部の保護動作を機能させるような電流を接続ポート２３Ｃに流すことにより、接続ポート２３Ｃに生じた過電流の影響が他の接続ポートに波及することを制限する。以下では、これら第１機能部６１、第２機能部６２、および第３機能部６３について詳しく説明する。
【００４４】
まず、第１機能部６１を有した機能アダプタ５０について説明する。図４は、第１機能部６１を有した機能アダプタ５０のいくつかの例を示す図である。図４中の（ａ）は、機能ユニット５２が電圧保持部７１を有する例である。図４中の（ａ）の構成では、電圧保持部７１は、例えば、正極のプラグ端子５１ａと接地極のプラグ端子５１ｃとの間、および負極のプラグ端子５１ｂと接地極のプラグ端子５１ｃとの間にそれぞれ電気的に接続されたコンデンサ７１ａを有する。コンデンサ７１ａは、コンセントユニット１３の母線２２に供給される電力によって充電される。コンデンサ７１ａは、コンセントユニット１３の母線２２の電圧がコンデンサ７１ａの充電電圧未満に低下した場合に、接続ポート２３Ｂを介してコンセントユニット１３の母線２２に電力を供給し、コンセントユニット１３の母線２２の電圧低下を抑制する。一方で、コンデンサ７１ａは、コンセントユニット１３の母線２２の電圧がコンデンサ７１ａの充電電圧を超えた場合に、コンセントユニット１３の母線２２に供給された電力の一部をコンセントユニット１３の外部（例えば機能アダプタ５０）に逃がすことで、コンセントユニット１３の母線２２の電圧上昇を抑制する。これにより、電圧保持部７１は、コンセントユニット１３の母線２２から接続ポート２３Ｃを介して負荷装置１２Ａに供給される電力の電圧を平滑化する。
【００４５】
図４中の（ｂ）は、電圧保持部７１の別の例を示す。図４中の（ｂ）の構成では、電圧保持部７１は、正極のプラグ端子５１ａと接地極のプラグ端子５１ｃとの間、および負極のプラグ端子５１ｂと接地極のプラグ端子５１ｃとの間にそれぞれ電気的に接続されたバッテリ（蓄電部）７１ｂを有する。バッテリ７１ｂは、コンセントユニット１３の母線２２の電圧が所定以下に低下した場合に、接続ポート２３Ｂを介してコンセントユニット１３の母線２２に電力を供給し、コンセントユニット１３の母線２２の電圧低下を抑制する。これにより、電圧保持部７１は、コンセントユニット１３の母線２２から接続ポート２３Ｃを介して負荷装置１２Ａに供給される電力の電圧を平滑化する。バッテリ７１ｂは、コンセントユニット１３の母線２２に供給される電力によって充電可能であってもよい。
【００４６】
図４中の（ｃ）の構成では、機能ユニット５２は、検出部７６と、電力供給部７７と、制御部（制御回路）７８とを有する例である。図４中の（ｃ）の構成では、検出部７６は、正極のプラグ端子５１ａと接地極のプラグ端子５１ｃとの間、および負極のプラグ端子５１ｂと接地極のプラグ端子５１ｃとの間に電気的に接続された電圧検出部７６ａを有する。電圧検出部７６ａは、正極のプラグ端子５１ａと接地極のプラグ端子５１ｃとの間、および負極のプラグ端子５１ｂと接地極のプラグ端子５１ｃとの間の電圧をそれぞれ測定することで、コンセントユニット１３の母線２２を経て接続ポート２３から負荷装置１２（例えば負荷装置１２Ａ）に供給される電力の変動を検出する。なお、検出部７６は、上記構成に代えて、正極のプラグ端子５１ａと負極のプラグ端子５１ｂとの間の電圧を測定することで、前記電力の変動を検出してもよい。電力供給部７７は、バッテリ７７ａを有し、接続ポート２３Ｂを介してコンセントユニット１３の母線２２に電力を供給可能である。制御部７８は、検出部７６の検出結果に基づき、電力供給部７７を制御する。例えば、制御部７８は、コンセントユニット１３の母線２２の電圧が所定以下に低下した（または所定量を超えて低下した）ことが検出部７６により検出された場合、バッテリ７７ａを放電させ、機能アダプタ５０からコンセントユニット１３の母線２２に電力を供給する。これにより、負荷装置１２（例えば負荷装置１２Ａ）に電力不足が生じることを抑制することができる。なお、電力供給部７７は、バッテリ７７ａに代えて、コンセントユニット１３の母線２２に供給される電力により充電されるコンデンサを有してもよい。
【００４７】
図５は、第１機能部６１を有した機能アダプタ５０の別のいくつかの例を示す図である。図５中の（ａ）は、機能ユニット５２が電圧変動抑制部８１を有する例である。図５中の（ａ）では、コンセントユニット１３の接続ポート２３Ｄに、複数の負荷装置１２に含まれる別の１つの負荷装置１２（第２負荷装置１２Ｂ、図１参照）が電気的に接続される。接続ポート２３Ｄは、「第３接続ポート」の一例である。図５中の（ａ）に示す例では、第２負荷装置１２Ｂに接続されたケーブル１４の負荷装置接続アダプタ３０と、コンセントユニット１３の接続ポート２３Ｄとの間に、遮断アダプタ８３が配置されている。遮断アダプタ８３は、所定の条件が満たされた場合に、第２負荷装置１２Ｂと接続ポート２３Ｄとの間の電気的接続を遮断する遮断部８３ａを有する。例えば、遮断部８３ａは、所定以上の過電流が流れた場合に上記電気的接続を遮断するヒューズである。ただし、遮断部８３ａは、図示しない制御部によって制御される遮断器（例えばリレー）でもよい。また、第２負荷装置１２Ｂと接続ポート２３Ｄとの間に遮断アダプタ８３が設けられることに代えて、負荷装置接続アダプタ３０の内部に遮断部８３ａが設けられてもよい。なお、遮断アダプタ８３に代えて、遮断アダプタ８３と同等の遮断特性を有する図示しないヒューズ又は遮断器などを第２負荷装置１２Ｂ内又はケーブル１４に設けるようにしてもよい。
【００４８】
図５中の（ａ）の構成では、機能アダプタ５０の電圧変動抑制部８１は、正極のプラグ端子５１ａと接地極のプラグ端子５１ｃとの間、および負極のプラグ端子５１ｂと接地極のプラグ端子５１ｃとの間にそれぞれ電気的に接続されたコンデンサ８１ａを有する。コンデンサ８１ａは、コンセントユニット１３の母線２２の電圧がコンデンサ８１ａの充電電圧を超えた場合に、コンセントユニット１３の母線２２に供給された電力の一部を充電する。その結果、コンデンサ８１ａの端子電圧がコンセントユニット１３の母線２２の電圧に等しくなる。
【００４９】
コンデンサ８１ａが上記のように充電された状態にあるときに、コンセントユニット１３より第２負荷装置１２Ｂ側に設けられているケーブル１４等で地絡が生じると、例えば、その地絡地点に向かう地絡電流が流れる。なお、遮断アダプタ８３には遮断部８３ａが設けられており、地絡電流の大きさが遮断部８３ａの瞬時許容電流値を超えと、当該遮断部８３ａがその電流を遮断する。なお、コンデンサ８１ａは、上記の地絡電流の電流源の一つとなって地絡電流を増やす方向に作用して、比較的に早い段階で遮断部８３ａを遮断させる。このように機能アダプタ５０は、接続ポート２３の後段に設けられている遮断アダプタ８３ａ（過電流保護部）の保護動作を機能させるような電流を、コンデンサ８１ａ（電流源）から接続ポート２３に流す。
【００５０】
上記のとおり、地絡が生じた特定の接続ポート２３からの給電が停止するが、地絡が生じていない他の接続ポート２３には過度な電流は流れることはなく、他の接続ポート２３にはその影響が波及しない。このようにコンセントユニット１３にコンデンサ８１ａと遮断アダプタ８３ａとを組み合わせて設けたことにより、地絡による影響が波及することを制限できる。
【００５１】
なお、コンセントユニット１３にコンデンサ８１ａと遮断アダプタ８３ａとを組み合わせて設けていない変形例の場合には、地絡電流は直流電源装置１１または分電盤１７から地絡地点に向けて流れ込むことになり、例えば、分電盤１７のヒューズが溶断して、筐体１５への給電が纏めて停止することが有る。これに対して、実施形態の構成によれば、筐体１５への給電経路に流れる電流に地絡による過電流が発生しにくくなり、筐体１５への給電が纏めて停止することを抑止できる。
【００５２】
コンセントユニット１３が設けられている位置は、直流電源装置１１からＩＣＴ装置等の負荷装置までの間で、ＩＣＴ装置等の負荷装置の直前の位置にあたる。特にこのような位置で、コンセントユニット１３は、電流分配装置１７に代わる機能を提供する。電流分配装置１７にコンデンサが設けられているとしても、そのコンデンサでは、負荷装置が接続されているコンセントユニット１３ごとに安定化することになるため、負荷装置ごとの対策は困難である。これに対し、実施形態の構成によれば、コンセントユニット１３に直接コンデンサ８１ａを接続することができることにより、ＩＣＴ装置ごとにそのＩＣＴ装置に供給する電力の電圧の安定化を図ることができる。
【００５３】
また、電圧変動抑制部８１は、第２負荷装置１２Ｂと接続ポート２３Ｄとの間の電気的接続が遮断部８３ａにより遮断されてコンセントユニット１３の母線２２に電圧変動が生じる場合（例えば一時的に電圧が高くなる場合）が有る。このような場合に、電源装置１１から母線２２に供給される過渡的な電力の変動の少なくとも一部をコンセントユニット１３の外部（例えば機能アダプタ５０）で吸収することで第１負荷装置１２Ａに対する電圧変動を抑制する。このような構成によれば、障害が波及する範囲を一部の系統に限定することができる。
【００５４】
図５中の（ｂ）は、電圧変動抑制部８１の別の例を示す。図５中の（ｂ）の構成では、電圧変動抑制部８１は、正極のプラグ端子５１ａおよび負極のプラグ端子５１ｂにそれぞれ接続されたＳＰＤ（Surge Protect Device）８１ｂを有する。電圧変動抑制部８１は、例えば、正極線２２ａおよび負極線２２ｂのうち一方の短絡または地絡に伴い、正極線２２ａおよび負極線２２ｂのうち他方に電圧変動から生じる場合に、その電圧変動が生じた電路に供給される電力の少なくとも一部を接地極（例えば接地線２２ｃまたは外部のグラウンド）に逃がすことで負荷装置１２Ａに対する電圧変動を抑制する。その結果、電源側から流入するサージ電圧の影響を制限することができ、過電圧から負荷装置１２Ａを保護することができる。
【００５５】
次に、第２機能部６２を有した機能アダプタ５０について説明する。図６は、第２機能部６２を有した機能アダプタ５０のいくつかの例を示す図である。図６中の（ａ）は、機能ユニット５２が電力に関する値を測定する測定部９１を有する例である。図６中の（ａ）の構成では、測定部９１は、正極のプラグ端子５１ａと接地極のプラグ端子５１ｃとの間、および負極のプラグ端子５１ｂと接地極のプラグ端子５１ｃとの間に電気的に接続された電圧検出部９１ａを有する。電圧検出部９１ａは、正極のプラグ端子５１ａと接地極のプラグ端子５１ｃとの間の電圧、および負極のプラグ端子５１ｂと接地極のプラグ端子５１ｃとの間の電圧をそれぞれ測定する。これにより、測定部９１は、コンセントユニット１３の母線２２から接続ポート２３Ｃを介して負荷装置１２Ａに供給される電力の電圧を測定する。このような構成によれば、コンセントユニット１３に接続された電力系統の給電状態を、簡易な方法でモニタすることができる。
【００５６】
図６中の（ｂ）は、測定部９１の別の例を示す。図６中の（ｂ）に示す例では、負荷装置１２Ａに電気的に接続された負荷装置接続アダプタ３０と、コンセントユニット１３の接続ポート２３Ｃとの間に、補助アダプタ９２が配置されている。補助アダプタ９２は、負荷装置接続アダプタ３０と接続ポート２３Ｃとの間で負荷装置接続アダプタ３０の正極のプラグ端子３１ａに電気的に直列に接続された第１シャント抵抗９２ａ（第１電気素子）と、負荷装置接続アダプタ３０と接続ポート２３Ｃとの間で負荷装置接続アダプタ３０の負極のプラグ端子３１ｂに電気的に直列に接続された第２シャント抵抗９２ｂ（第２電気素子）とを有する。補助アダプタ９２は、第１シャント抵抗９２ａおよび第２シャント抵抗９２ｂにそれぞれ電気的に接続された検出端子９３ａ，９３ｂを有する。なお、補助アダプタ９２は、シャント抵抗９２ａ，９２ｂに代えて、電流検出用の他の電気素子（例えば変成器）を有してもよい。
【００５７】
図６中の（ｂ）の構成では、測定部９１は、正極のプラグ端子５１ａと接地極のプラグ端子５１ｃとの間、および負極のプラグ端子５１ｂと接地極のプラグ端子５１ｃとの間に電気的に接続された電圧検出部９１ａと、補助アダプタ９２の検出端子９３ａ，９３ｂに電気的に接続された測定値計算部９１ｂとを有する。測定値計算部９１ｂは、検出端子９３ａ，９３ｂから入力される信号に基づき、コンセントユニット１３の母線２２から接続ポート２３Ｃを介して負荷装置１２Ａに供給される電力の電流値を計算する。さらに、測定値計算部９１ｂは、計算された電流値と、電圧検出部９１ａの検出結果（電圧の検出結果）とに基づき、コンセントユニット１３の母線２２から接続ポート２３Ｃを介して負荷装置１２Ａに供給される電力値および電力品質を求める。「電力品質」とは、例えば、単位時間当たりの電力の意図しない変化量であるが、これに限定されない。
【００５８】
図６中の（ｃ）は、第２機能部６２の別の例を示す。図６中の（ｃ）は、機能ユニット５２が機能アダプタ５０の周囲環境に関する値を測定する測定部９６を有する例である。図６中の（ｃ）の構成では、測定部９６は、電源回路９６ａと、センサ部９６ｂとを有する。電源回路９６ａは、少なくとも正極のプラグ端子５１ａおよび負極のプラグ端子５１ｂを介してコンセントユニット１３の母線２２に電気的に接続されている。電源回路９６ａは、コンセントユニット１３の母線２２から接続ポート２３Ｂを介して供給される電力から所望の電圧の電力を生成し、生成した電力をセンサ部９６ｂに供給する。センサ部９６ｂは、機能アダプタ５０の周囲環境に関する測定を行う。例えば、センサ部９６ｂは、加速度センサと温度センサとのうち少なくとも一方を含み、機能アダプタ５０に作用する加速度（揺れや衝撃）および温度のうち少なくとも一方を測定する。
【００５９】
図７は、第２機能部６２を有した機能アダプタ５０の別の例を示す図である。図７は、コンセントユニット１３の母線２２から接続ポート２３Ｃを介して負荷装置１２Ａに流れる電流値を測定する測定部１０１を機能ユニット５２が有する例である。図７の構成では、機能ユニット５２は、第１部分５５Ａと、第２部分５５Ｂとを有する。第１部分５５Ａは、第１プラグ５１Ａ、第１コイル１０２Ａ、および第１磁界検出部１０３Ａを有する。第１プラグ５１Ａは、プラグ端子５１ａ，５１ｂ，５１ｃを有し、コンセントユニット１３の接続ポート２３Ｂに接続される。第１コイル１０２Ａは、負荷装置接続アダプタ３０の正極のプラグ端子３１ａの近くに位置し、接続ポート２３Ｃ近傍の磁界（例えば正極のプラグ端子３１ａ近傍の磁界）を検出する。ここで言う「近傍」とは、磁界を検出可能な程度に近いことを意味する。第１磁界検出部１０３Ａは、第１プラグ５１Ａを介して接続ポート２３Ｂに電気的に接続され、コンセントユニット１３の母線２２から接続ポート２３Ｂを介して供給される電力により動作してもよい。第１磁界検出部１０３Ａは、第１コイル１０２Ａに接続されている。第１磁界検出部１０３Ａは、第１コイル１０２Ａにより検出される磁界に基づき、負荷装置接続アダプタ３０の正極のプラグ端子３１ａに流れる電流値を測定する。
【００６０】
機能ユニット５２の第２部分５５Ｂは、第２プラグ５１Ｂ、第２コイル１０２Ｂ、および第２磁界検出部１０３Ｂを有する。第２プラグ５１Ｂは、プラグ端子５１ａ，５１ｂ，５１ｃを有し、コンセントユニット１３の接続ポート２３Ｄに接続される。機能ユニット５２の第１部分５５Ａおよび第２部分５５Ｂが接続される接続ポート２３Ｂ，２３Ｄは、コンセントユニット１３の母線２２における電流の流れ方向において、負荷装置１２Ａが電気的に接続された接続ポート２３Ｃの上流と下流とに分かれて配置されている。第２コイル１０２Ｂは、負荷装置接続アダプタ３０の負極のプラグ端子３１ｂの近くに位置し、接続ポート２３Ｃ近傍の磁界（例えば負極のプラグ端子３１ｂ近傍の磁界）を検出する。第２磁界検出部１０３Ｂは、第２プラグ５１Ｂを介して接続ポート２３Ｄに電気的に接続され、コンセントユニット１３の母線２２から接続ポート２３Ｄを介して供給される電力により動作してもよい。第２磁界検出部１０３Ｂは、第２コイル１０２Ｂに接続されている。第２磁界検出部１０３Ｂは、第２コイル１０２Ｂにより検出される磁界に基づき、負荷装置接続アダプタ３０の負極のプラグ端子３１ｂに流れる電流値を測定する。
【００６１】
本実施形態では、機能アダプタ５０は、測定値計算部１０４を有する。測定値計算部１０４は、第１磁界検出部１０３Ａの検出結果および第２磁界検出部１０３Ｂの検出結果の一方または両方に基づき、接続ポート２３Ｃから負荷装置１２Ａに流れる電流値を計算する。このような構成によれば、負荷装置接続アダプタ３０がコンセントユニット１３に接続された状態のまま（すなわち、接続ポート２３Ｃから負荷装置１２Ａを外すことなく、負荷装置１２Ａの運転を継続したまま）、電流を計測する機能を電力系統に追加することができる。
【００６２】
なお、測定値計算部１０４は、第１部分５５Ａに設けられてもよく、第２部分５５Ｂに設けられてもよく、第１部分５５Ａおよび第２部分５５Ｂの外部に設けられてもよい。また、第１部分５５Ａおよび第２部分５５Ｂは、１つの機能アダプタとして形成されることに代えて、２つの機能アダプタ５０Ａ，５０Ｂとして互いに別体に形成されてもよい。この場合、機能アダプタ５０Ａ，５０Ｂは、「アダプタセット」の一例となる。
【００６３】
図８は、第２機能部６２を有した機能アダプタ５０のさらに別の例を示す図である。図８は、コンセントユニット１３の母線２２から接続ポート２３Ｃを介して負荷装置１２Ａに流れる電流値を測定する測定部１１１を機能ユニット５２が有する例である。図８の構成では、機能ユニット５２は、第１部分５５Ａと、第２部分５５Ｂとを有する。第１部分５５Ａは、第１プラグ５１Ａと、第１電圧検出部１１２Ａとを有する。第１プラグ５１Ａは、コンセントユニット１３の接続ポート２３Ｂに接続される。第１電圧検出部１１２Ａは、第１プラグ５１Ａの正極のプラグ端子５１ａと接地極のプラグ端子５１ｃとの間の電圧Ｖ１と、負極のプラグ端子５１ｂと接地極のプラグ端子５１ｃとの間の電圧Ｖ２とをそれぞれ測定する。
【００６４】
機能ユニット５２の第２部分５５Ｂは、第２プラグ５１Ｂと、第２電圧検出部１１２Ｂとを有する。第２プラグ５１Ｂは、コンセントユニット１３の接続ポート２３Ｄに接続される。機能ユニット５２の第１部分５５Ａおよび第２部分５５Ｂが接続される接続ポート２３Ｂ，２３Ｄは、コンセントユニット１３の母線２２における電流の流れ方向において、負荷装置１２Ａが電気的に接続された接続ポート２３Ｃの上流と下流とに分かれて配置されている。第２電圧検出部１１２Ｂは、第２プラグ５１Ｂの正極のプラグ端子５１ａと接地極のプラグ端子５１ｃとの間の電圧Ｖ３と、負極のプラグ端子５１ｂと接地極のプラグ端子５１ｃとの間の電圧Ｖ４とをそれぞれ測定する。
【００６５】
本実施形態では、機能アダプタ５０は、測定値計算部１１３を有する。測定値計算部１１３は、第１電圧検出部１１２Ａによる測定結果（接続ポート２３Ｂを介して母線２２の電圧を測定した第１測定結果）と、第２電圧検出部１１２Ｂによる測定結果（接続ポート２３Ｄを介して母線２２の電圧を測定した第２測定結果）との差分に基づき、接続ポート２３Ｃから負荷装置１２Ａに流れる電流を計算する。すなわち、コンセントユニット１３の正極線２２ａは、接続ポート２３Ｂの正極のコンセント端子４２ａと接続ポート２３Ｄの正極のコンセント端子４２ａとの間に内部抵抗Ｒ１（図中では２点鎖線で模式的に示す）を有する。同様に、コンセントユニット１３の負極線２２ｂは、接続ポート２３Ｂの負極のコンセント端子４２ｂと接続ポート２３Ｄの負極のコンセント端子４２ｂとの間に内部抵抗Ｒ２（図中では２点鎖線で模式的に示す）を有する。これら内部抵抗Ｒ１，Ｒ２の大きさは、予め求められ、測定値計算部１１３に与えられている。測定値計算部１１３は、内部抵抗Ｒ１，Ｒ２の値と、第１電圧検出部１１２Ａによる測定結果と第２電圧検出部１１２Ｂによる測定結果との差分である電圧降下量とに基づき、コンセントユニット１３の母線２２から接続ポート２３Ｃを介して負荷装置１２Ａに流れる電流値を測定する。電圧降下量は、例えば、第１電圧検出部１１２Ａにより検出された第１プラグ５１Ａの正極のプラグ端子５１ａの電圧値と、第２電圧検出部１１２Ｂにより検出された第２プラグ５１Ｂの正極のプラグ端子５１ａの電圧値との差分（Ｖ３−Ｖ１）、または、第１電圧検出部１１２Ａにより検出された第１プラグ５１Ａの負極のプラグ端子５１ｂの電圧値と、第２電圧検出部１１２Ｂにより検出された第２プラグ５１Ｂの負極のプラグ端子５１ｂの電圧値との差分（Ｖ４−Ｖ２）である。そして、測定値計算部１１３は、（Ｖ３―Ｖ１）／Ｒ１、または（Ｖ４−Ｖ２）／Ｒ２により、コンセントユニット１３の母線２２から接続ポート２３Ｃを介して負荷装置１２Ａに流れる電流値を算出する。
【００６６】
なお、測定値計算部１１３は、第１部分５５Ａに設けられてもよく、第２部分５５Ｂに設けられてもよく、第１部分５５Ａおよび第２部分５５Ｂの外部に設けられてもよい。また、第１部分５５Ａおよび第２部分５５Ｂは、１つの機能アダプタとして形成されることに代えて、２つの機能アダプタ５０Ａ，５０Ｂとして互いに別体に形成されてもよい。この場合、機能アダプタ５０Ａ，５０Ｂは、「アダプタセット」の一例となる。
【００６７】
図９は、第２機能部６２を有した機能アダプタ５０のさらに別の例を示す図である。図９は、コンセントユニット１３の母線２２に送信した信号の変化に基づき母線２２に電気的に接続されたコンデンサの容量を測定する測定部１２１を機能ユニット５２が有する例である。図９の構成では、機能ユニット５２は、例えば、第１部分５５Ａと、第２部分５５Ｂとを有する。第１部分５５Ａは、第１プラグ５１Ａと、信号送信部１２２Ａとを有する。第１プラグ５１Ａは、コンセントユニット１３の接続ポート２３Ｂに接続される。信号送信部１２２Ａは、第１プラグ５１Ａの正極のプラグ端子５１ａを介してコンセントユニット１３の正極線２２ａに所定の信号を一定時間送信する。信号送信部１２２Ａは、第１プラグ５１Ａの負極のプラグ端子５１ｂを介してコンセントユニット１３の負極線２２ｂに所定の信号を一定時間送信する。信号送信部１２２Ａは、第１プラグ５１Ａの接地極のプラグ端子５１ｃを介してコンセントユニット１３の接地線２２ｃに所定の信号を一定時間送信する。これら所定の信号は、例えば、正弦波の電圧を持つ交流信号である。例えば、信号送信部１２２Ａは、プラグ端子５１ｃを基準にして、プラグ端子５１ａまたはプラグ端子５１ｂに上記所定の信号を送信してもよく、プラグ端子５１ａとプラグ端子５１ｂとの間に上記所定の信号を送信してもよい。
【００６８】
機能ユニット５２の第２部分５５Ｂは、第２プラグ５１Ｂと、信号受信部１２２Ｂとを有する。第２プラグ５１Ｂは、コンセントユニット１３の接続ポート２３Ｄに接続される。機能ユニット５２の第１部分５５および第２部分５５Ｂが接続される接続ポート２３Ｂ，２３Ｄは、例えば、コンセントユニット１３の母線２２における電流の流れ方向において、負荷装置１２Ａが電気的に接続された接続ポート２３Ｃの上流と下流とに分かれて配置されている。信号受信部１２２Ｂは、第２プラグ５１Ｂの正極のプラグ端子５１ａを介して、信号送信部１２２Ａがコンセントユニット１３の正極線２２ａに送信した信号を受信する。信号受信部１２２Ｂは、第２プラグ５１Ｂの負極のプラグ端子５１ｂを介して、信号送信部１２２Ａがコンセントユニット１３の負極線２２ｂに送信した信号を受信する。信号受信部１２２Ｂは、第２プラグ５１Ｂの接地極のプラグ端子５１ｃを介して、信号送信部１２２Ａがコンセントユニット１３の接地線２２ｃに送信した信号を受信する。
【００６９】
本実施形態では、機能アダプタ５０は、測定値計算部１２３を有する。測定値計算部１２３は、信号受信部１２２Ｂにより受信された前記所定の信号の状態に基づき、コンセントユニット１３の母線２２に電気的に接続されたコンデンサ（例えば、負荷装置１２Ａが持つコンデンサ）の容量を測定する。例えば、測定値計算部１２３は、信号送信部１２２Ａにより送信された信号と、信号受信部１２２Ｂにより受信された信号とを比較し、前記所定の信号の変化（例えば減衰の程度）に基づき、母線２２に電気的に接続されたコンデンサの容量を測定する。なお、上記所定の信号は、コンデンサの容量変化を検出しやすい周波数を含むと好ましい。
【００７０】
なお、図９では、第１部分５５Ａに信号送信部１２２Ａが設けられ、第２部分５５Ｂに信号受信部１２２Ｂが設けられた例について説明した。これに代えて、第１部分５５Ａに信号受信部１２２Ｂが設けられ、第２部分５５Ｂに信号送信部１２２Ａが設けられてもよい。また、信号送信部１２２Ａおよび信号受信部１２２Ｂの両方が、第１部分５５Ａに設けられてもよい。この場合、信号送信部１２２Ａは、接続ポート２３Ｂからコンセントユニット１３の母線２２に所定の信号を送信する。そして、信号受信部１２２Ｂは、信号送信部１２２Ａにより送信されてコンセントユニット１３の母線２２を流れた所定の信号を、接続ポート２３Ｂを介して受信する。また、第１部分５５Ａおよび第２部分５５Ｂは、１つの機能アダプタとして形成されることに代えて、２つの機能アダプタ５０Ａ，５０Ｂとして互いに別体に形成されてもよい。この場合、機能アダプタ５０Ａ，５０Ｂは、「アダプタセット」の一例となる。
【００７１】
次に、第３機能部６３を有した機能アダプタ５０について説明する。図１０および図１１は、第３機能部６３を有した機能アダプタ５０の例を示す図である。図１０および図１１に示す例は、負荷装置１２Ａが電気的に接続された接続ポート２３Ｃのロック機構１３１を操作する第３機能部６３を機能アダプタ５０が有する例である。
【００７２】
詳しく述べると、図１０に示すように、コンセントユニット１３のケース２１には、各接続ポート２３の近傍にロック機構１３１が設けられている。ロック機構１３１は、不図示の係合部と、スイッチ１３１ａとを有する。
【００７３】
前記係合部は、ロック機構１３１がＯＮ状態に切り替えられた場合に、負荷装置接続アダプタ３０に設けられた不図示の被係合部に係合する。これにより、負荷装置接続アダプタ３０がコンセントユニット１３に固定され、負荷装置接続アダプタ３０がコンセントユニット１３から外れなくなる。一方で、前記係合部は、ロック機構１３１がＯＦＦ状態に切り替えられた場合に、前記被係合部から外れる。これにより、負荷装置接続アダプタ３０は、コンセントユニット１３から取り外し可能になる。
【００７４】
スイッチ１３１ａは、コンセントユニット１３のケース２１の外部に突出しており、コンセントユニット１３の外部から操作可能である。スイッチ１３１ａは、操作されることで、ロック機構１３１をＯＮ状態とＯＦＦ状態とに切り替える。
【００７５】
図１０および図１１に示す例では、機能アダプタ５０の機能ユニット５２は、カバー１３３、操作部材１３４、アクチュエータ１３５、通信部１３６、および制御部１３７を有する。カバー１３３は、負荷装置接続アダプタ３０が接続された接続ポート２３Ｃのロック機構１３１のスイッチ１３１ａを覆う。操作部材１３４は、カバー１３３の内側に設けられ、負荷装置接続アダプタ３０が接続された接続ポート２３Ｃのロック機構１３１のスイッチ１３１ａに接する。例えば、操作部材１３４は、スイッチ１３１ａに対応する凹部を有し、スイッチ１３１ａに係合する。アクチュエータ１３５は、例えばモータまたはソレノイドなどの駆動源を含む。アクチュエータ１３５は、操作部材１３４によりスイッチ１３１ａを操作することでロック機構１３１をＯＮ状態とＯＦＦ状態との間で切り替えるように操作部材１３４を駆動する。通信部１３６は、無線または有線により、機能アダプタ５０の外部と通信可能である。制御部１３７は、通信部１３６を通じて入力される外部からの指示に基づき、アクチュエータ１３５を制御する。このような機能アダプタ５０によれば、コンセントユニット１３のロック機構１３１を遠隔操作によりＯＮ状態とＯＦＦ状態との間で切り替えることができる。
【００７６】
図１２は、第３機能部６３を有した機能アダプタ５０の別の例を示す図である。この例は、負荷装置接続アダプタ３０に設けられたロック機構１３１を操作する第３機能部６３を機能アダプタ５０が有する例である。
【００７７】
図１２に示す例では、コンセントユニット１３に代えて、負荷装置接続アダプタ３０にロック機構１３１が設けられている。機能アダプタ５０の機能ユニット５２は、負荷装置接続アダプタ３０のロック機構１３１のスイッチ１３１ａに接する（例えば係合する）操作部材１３４を有する。その他の構成は、図１０および図１１に示す構成と同様である。このような構成によっても、コンセントユニット１３のロック機構１３１を遠隔操作によりＯＮ状態とＯＦＦ状態との間で切り替えることができる。
【００７８】
（第１の実施形態の変形例）
図１０から図１２に示した事例では、機能アダプタ５０とコンセントユニット１３との機械的な結合によりロック機構１３１の状態を切替えるものである。これに代えて、本変形例では、機能アダプタ５０とコンセントユニット１３との電気的な結合によりロック機構１３１を切替えるものであってもよい。
【００７９】
図１７は、第１の実施形態の変形例の第３機能部６３を有した機能アダプタ５０の例を示す図である。図１７に示す例は、負荷装置１２Ａが電気的に接続された接続ポート２３Ｃのロック機構１３１を操作する第３機能部６３を機能アダプタ５０が有する例である。
【００８０】
詳しく述べると、図１７に示すように、コンセントユニット１３のケース２１には、各接続ポート２３の近傍にロック機構１３１が設けられている。ロック機構１３１は、不図示の係合部と、スイッチ１３１ａとを有する。前記係合部は、ロック機構１３１がＯＮ状態に切り替えられた場合に、負荷装置接続アダプタ３０に設けられた不図示の被係合部に係合する。ロック機構１３１がＯＮ状態にあると、負荷装置接続アダプタ３０の挿抜が制限される。
【００８１】
コンセントユニット１３は、母線２２のほかに、操作部材１３４、アクチュエータ１３５、通信部１３８、および制御部１３９を有する。操作部材１３４、アクチュエータ１３５、通信部１３８、および制御部１３９は、コンセントユニット１３の内側に設けられる。操作部材１３４は、負荷装置接続アダプタ３０が接続された接続ポート２３Ｃのロック機構１３１のスイッチ１３１ａに接する。例えば、操作部材１３４は、スイッチ１３１ａに対応する凹部を有し、コンセントユニット１３の内側でスイッチ１３１ａに係合する。アクチュエータ１３５は、例えばモータまたはソレノイドなどの駆動源を含む。アクチュエータ１３５は、操作部材１３４によりスイッチ１３１ａを操作することでロック機構１３１をＯＮ状態とＯＦＦ状態との間で切り替えるように操作部材１３４を駆動する。通信部１３８は、無線または有線により、機能アダプタ５０と通信可能である。制御部１３９は、通信部１３８を通じて入力される機能アダプタ５０からの指示に基づき、アクチュエータ１３５を制御する。
【００８２】
機能アダプタ５０の機能ユニット５２は、通信部１３６、および制御部１３７を有する。機能アダプタ５０の通信部１３６は、無線または有線により、機能アダプタ５０の外部と通信可能である。例えば、通信部１３６は、コンセントユニット１３の通信部１３８と通信する。制御部１３７は、通信部１３６を通じて入力される外部からの指示に基づき、コンセントユニット１３と通信して、コンセントユニット１３のアクチュエータ１３５を制御する。このような機能アダプタ５０によれば、コンセントユニット１３のロック機構１３１を遠隔操作によりＯＮ状態とＯＦＦ状態との間で切り替えることができる。
【００８３】
（第２の実施形態）
次に、第２の実施形態について説明する。本実施形態は、複数の機能アダプタ５０Ａ，５０Ｂからなるアダプタセット２００が設けられた点で、第１の実施形態とは異なる。なお、以下に説明する以外の構成は、第１の実施形態と同様である。
【００８４】
図１３は、第２の実施形態のコンセントユニット１３およびアダプタセット２００を示す斜視図である。アダプタセット２００は、複数（例えば２つ）の機能アダプタ（第１機能アダプタ５０Ａ、第２機能アダプタ５０Ｂ）から構成されている。複数の機能アダプタ５０Ａ，５０Ｂは、互いに別体として形成され、それぞれ独立してコンセントユニット１３の接続ポート２３に接続可能および取り外し可能である。複数の機能アダプタ５０Ａ，５０Ｂは、例えば、所望の機能が実現されるように、組み合わせを自在に変更可能である。複数の機能アダプタ５０Ａ，５０Ｂは、互いに隣り合う２つの接続ポート２３に接続されてもよく、互いに離れた（例えば、負荷装置接続アダプタ３０の両側に分かれた）２つの接続ポート２３にそれぞれ接続されてもよい。
【００８５】
図１４は、第２の実施形態のコンセントユニット１３およびアダプタセット２００の電気的接続関係を示す図である。第１機能アダプタ５０Ａは、「第１アダプタ」の一例である。第２機能アダプタ５０Ｂは、「第２アダプタ」の一例である。
【００８６】
第１機能アダプタ５０Ａは、第１プラグ５１Ａと、第１機能ユニット５２Ａとを有する。第１プラグ５１Ａは、コンセントユニット１３の接続ポート２３Ｂに接続される。第１機能ユニット５２Ａは、第１プラグ５１Ａに接続されている。第１機能ユニット５２Ａは、上述した第１機能部６１、第２機能部６２、および第３機能部６３のうち少なくとも１つと、第１通信部１４１を有する。第１通信部１４１は、例えば、第２機能部６２により測定された測定結果を、第１機能アダプタ５０Ａの外部（例えば第２機能アダプタ５０Ｂ）に無線（または有線）で送信する。また、第１通信部１４１は、第３機能部６３に対する指示（ロック機構１３１のＯＮ状態／ＯＦＦ状態を切り替える指示）を第１機能アダプタ５０Ａの外部（例えば第２機能アダプタ５０Ｂ）から無線（または有線）で受信する。
【００８７】
第２機能アダプタ５０Ｂは、第２プラグ５１Ｂと、第２機能ユニット５２Ｂとを有する。第２プラグ５１Ｂは、コンセントユニット１３の接続ポート２３Ａに接続される。第２プラグ５１Ｂが接続される接続ポート２３Ａは、「第３接続ポート」の一例である。第２機能ユニット５２Ｂは、第２プラグ５１Ｂに接続されている。第２機能ユニット５２Ｂは、第２通信部１４２と、第３通信部１４３とを有する。第２通信部１４２は、第１機能アダプタ５０Ａの第１通信部１４１と無線（または有線）で通信可能である。すなわち、第２通信部１４２は、第１機能アダプタ５０Ａの第２機能部６２により測定された測定結果を第１機能アダプタ５０Ａから受信する。また、第２通信部１４２は、第１機能アダプタ５０Ａの第３機能部６３に対する指示（ロック機構１３１のＯＮ状態／ＯＦＦ状態を切り替える指示）を第１機能アダプタ５０Ａに送信する。一方で、第３通信部１４３は、アダプタセット２００の外部と無線（または有線）で通信可能である。例えば、第３通信部１４３は、インターネットに接続可能である。例えば、第３通信部１４３は、ローカルネットワークまたはインターネットのようなネットワークを介して、アダプタセット２００の管理装置と通信可能である。
【００８８】
また、第２機能アダプタ５０Ｂは、上述した第１機能部６１、第２機能部６２、および第３機能部６３のうち少なくとも１つを有してもよい。また、第１機能部６１の一部、第２機能部６２の一部、または第３機能部６３の一部は、第１機能アダプタ５０Ａに代えて第２機能アダプタ５０Ｂに設けられてもよい。例えば、図４中の（ｃ）を参照して説明した検出部７６（電圧検出部７６ａ）と制御部７８とは、第１機能アダプタ５０Ａと第２機能アダプタ５０Ｂとに分かれて設けられてもよい。図６中の（ｃ）を参照して説明した磁界検出部１０３Ａ，１０３Ｂのセットと、測定値計算部１０４とは、第１機能アダプタ５０Ａと第２機能アダプタ５０Ｂとに分かれて設けられてもよい。図８を参照して説明した電圧検出部１１２Ａ，１１２Ｂのセットと、測定値計算部１１３とは、第１機能アダプタ５０Ａと第２機能アダプタ５０Ｂとに分かれて設けられてもよい。図９を参照して説明した信号送信部１２２Ａおよび信号受信部１２２Ｂのセットと、測定値計算部１２３とは、第１機能アダプタ５０Ａと第２機能アダプタ５０Ｂとに分かれて設けられてもよい。
【００８９】
これらのような構成によれば、電力系統に好ましい機能を容易に追加することができる。すなわち、機能アダプタ５０またはアダプタセット２００をコンセントユニット１３に取り付けることで、所望の特定の機能を電力系統に追加することができる。
【００９０】
（第３の実施形態）
次に、第３の実施形態について説明する。本実施形態は、電源側からコンセントユニット１３Ａへの接続をコネクタ接続にした点で、第１の実施形態とは異なる。なお、以下に説明する以外の構成は、第１の実施形態と同様である。
【００９１】
図１５は、コンセントユニット１３Ａおよび機能アダプタ５０を示す斜視図である。図１６は、コンセントユニット１３Ａおよび機能アダプタ５０の電気的接続関係を示す図である。
【００９２】
コンセントユニット１３Ａは、例えば、３８０ボルト程度の直流用のコンセントユニットである。コンセントユニット１３Ａのポート部１３ａは、ケース２１と、ケース２１内に設けられた母線２２（図１６参照）とを有する。ポート部１３ａには、例えば、接続ポート２３Ａから２３Ｄの各接続ポート２３が設けられている。
【００９３】
母線２２は、コンセントユニット１３Ａの接続ポート２３の各端子の電気的極性が揃うように、それぞれ電気的に接続する。
【００９４】
図１５に示すようにコンセントユニット１３Ａの接続ポート２３には、機能アダプタ５０が設けられている。機能アダプタ５０は、コンセントユニット１３Ａの接続ポート２３に接続可能および取り外し可能である。
【００９５】
さらに、コンセントユニット１３Ａの各接続ポート２３には、少なくとも１つの電源コード１３ｃと、一又は複数のケーブル１４とが電気的に接続される。図１５に示す事例では、２つのケーブル１４のそれぞれが、コンセントユニット１３の接続ポート２３Ｃと２３Ｄに電気的に接続される。この電源コード１３ｃとケーブル１４は、コンセントユニット１３Ａの接続ポート２３に接続可能および取り外し可能である。
【００９６】
電源コード１３ｃは、複数の接続ポート２３が設けられたポート部１３ａを、電源装置１１に電気的に接続する。例えば、電源コード１３ｃの端部には、コンセントユニット１３の接続ポート２３に接続される電源コード接続アダプタ１５０が設けられている。電源コード接続アダプタ３０は、複数のプラグ端子（例えば、正極のプラグ端子１５１ａ、負極のプラグ端子１５１ｂ、接地極のプラグ端子１５１ｃ）を有したプラグ１５１を有する。プラグ１５１の各端子は、プラグ３１の各端子と同様に、接続ポート２３の各端子に電気的に接続される。
【００９７】
例えば、コンセントユニット１３Ａは、電源コード１３ｃを介して接続ポート２３Ａに供給される電力を、母線２２を経て、接続ポート２３Ｃと２３Ｄに接続されるケーブル１４を経て、それぞれの負荷装置に分配する。なお、コンセントユニット１３Ａにおける機能アダプタ５０の作用は、前述した説明を参照する。
【００９８】
上記の実施形態によれば、複数の接続ポート２３を有するコンセントユニット１３Ａは、電源コード１３ｃを介して電力の供給を受けることができ、その電力を負荷装置に対して中継することができる。
【００９９】
以上、いくつかの実施形態について説明したが、実施形態は、上記例に限定されない。
【符号の説明】
【０１００】
１…給電システム、１２，１３，１３Ａ…コンセントユニット、２３…接続ポート、３０…負荷装置接続アダプタ、５０，５０Ａ，５０Ｂ…機能アダプタ、５１，５１Ａ…プラグ（第１プラグ），５１Ｂ…第２プラグ、５２…機能ユニット、６１…第１機能部、６２…第２機能部、６３…第３機能部、７１…電圧保持部、７６…検出部、７６ａ…電圧検出部、７７…電力供給部、７８…制御部、８１…電圧変動抑制部、８３…遮断アダプタ、８３ａ…遮断部、９１…測定部、９１ａ…電圧検出部、９６…測定部、１０１…測定部、１０２Ａ，１０２Ｂ…コイル、１０３Ａ，１０３Ｂ…磁界検出部、１１１…測定部、１１２Ａ，１１２Ｂ…電圧検出部、１２１…測定部、１２２Ａ…信号送信部、１２２Ｂ…信号受信部、１３１…ロック機構、１３１ａ…スイッチ、１３４…操作部材、１３５…アクチュエータ、１３６，１３８…通信部、１３７，１３９…制御部、１４１…第１通信部、１４２…第２通信部、１４３…第３通信部、１５０…電源コード接続アダプタ、１５１…プラグ、２００…アダプタセット
【図１】
2019126104.tif 000003
【図２】
2019126104.tif 000004
【図３】
2019126104.tif 000005
【図４】
2019126104.tif 000006
【図５】
2019126104.tif 000007
【図６】
2019126104.tif 000008
【図７】
2019126104.tif 000009
【図８】
2019126104.tif 000010
【図９】
2019126104.tif 000011
【図１０】
2019126104.tif 000012
【図１１】
2019126104.tif 000013
【図１２】
2019126104.tif 000014
【図１３】
2019126104.tif 000015
【図１４】
2019126104.tif 000016
【図１５】
2019126104.tif 000017
【図１６】
2019126104.tif 000018
【図１７】
2019126104.tif 000019